(57)【要約】【課題】  無線ＬＡＮ通信機能を備えた携帯型情報端末を看護師に携行させて、患者からの呼び出しを個々の看護師に対して通知可能とする。【解決手段】  患者情報を表示するモニタ３６、無線ＬＡＮ送受信を実施するＲＦ送受信回路３７を備えた複数の携帯情報端末５と、この携帯情報端末５と通信するための複数のアクセスポイント６と備え、ナースコール子機１及びナースコールサーバ４に、アクセスポイント６を介して携帯情報端末５と通信するためのＲＦ送受信回路１４，３１を設けた。ナースコール子機１は、呼出ボタン９ａが操作されたら呼出信号を携帯情報端末５に送信し、ナースコール子機１からの呼出信号を入手したナースコールサーバ４は、ナースコール子機１に関連付けられている患者情報を記憶部２８から取り出して携帯情報端末５に送信する。【選択図】  図１
2009212813.tif 000002
【特許請求の範囲】
【請求項１】
患者が看護師を呼び出すための呼出ボタンを有し、ベッド毎に設置されたナースコール子機と、呼び出しを表示する廊下灯と、看護師が前記ナースコール子機からの呼び出しに応答するためにナースステーションに設置されたナースコール親機と、患者情報が蓄積されたナースコールサーバとを有するナースコールシステムであって、
無線ＬＡＮ送受信手段を備えると共に呼出報知部及び患者情報表示部を備えて看護師が携行できる複数の携帯情報端末と、当該携帯情報端末と通信するための複数のアクセスポイントとを備える一方、
前記ナースコール子機及び前記ナースコールサーバは、前記アクセスポイントを介して前記携帯情報端末と通信するための無線ＬＡＮ送受信手段を備え、
更に、前記ナースコール子機は、前記呼出ボタンが操作されたら呼出信号を前記携帯情報端末に送信する呼出制御部を有すると共に、前記ナースコールサーバは、前記ナースコール子機からの呼出信号を入手して、当該ナースコール子機に関連付けられている患者情報を取り出して、前記携帯情報端末に送信する患者情報送信制御部を有し、
呼出信号を受信した前記携帯情報端末は、呼出報知に合わせて受信した患者情報を表示することを特徴とするナースコールシステム。
【請求項２】
患者が看護師を呼び出すための呼出ボタンを有し、ベッド毎に設置されたナースコール子機と、呼び出しを表示する廊下灯と、看護師が前記ナースコール子機からの呼び出しに応答するためにナースステーションに設置されたナースコール親機と、患者情報が蓄積されたナースコールサーバとを有するナースコールシステムであって、
無線ＬＡＮ送受信手段を備えると共に呼出報知部及び患者情報表示部を備えて看護師が携行できる複数の携帯情報端末と、当該携帯情報端末と通信するための複数のアクセスポイントとを備える一方、
前記ナースコール子機は、前記アクセスポイントに無線接続するための無線ＬＡＮ送受信手段と、前記呼出ボタンが操作されたら呼出信号を前記ナースコールサーバ及び前記携帯情報端末に送信する呼出制御部を有すると共に、前記ナースコールサーバは、前記呼出信号を受けて当該ナースコール子機に関連付けられている患者情報を取り出して返送する患者情報送信制御部を有し、
前記呼出制御部は、前記ナースコールサーバから入手した患者情報を呼出信号と共に前記携帯情報端末に送信し、呼出信号を受信した前記携帯情報端末は、呼出報知に合わせて受信した患者情報を表示することを特徴とするナースコールシステム。
【請求項３】
前記アクセスポイントは全てのアクセスポイントの位置情報を記憶する位置情報記憶部を有し、
前記ナースコール子機から呼出信号を受信したら、前記アクセスポイントの位置情報、及び前記アクセスポイントと通信する前記携帯情報端末情報から、自身に最も近い前記携帯情報端末を特定し、特定した前記携帯情報端末に対して呼出信号及び患者情報を送信する送信制御手段を有することを特徴とする請求項１又は２記載のナースコールシステム。
【請求項４】
前記ナースコール子機は、特定の前記携帯情報端末を呼び出すための携帯情報端末ＩＤ記憶部を有し、
前記呼出制御部は、前記呼出ボタンが操作されたら特定の前記携帯情報端末に呼出信号及び患者情報を送信することを特徴とする請求項１又は２記載のナースコールシステム。      
【請求項５】
前記アクセスポイントは、前記ナースコール子機からの呼び出しを他の通信より優先させる優先制御手段を備え、前記アクセスポイントの通信チャンネルが他の通信により塞がっている場合にはその通信を切断し、ナースコール子機からの呼出信号の送信を優先させることを特徴とする請求項１乃至４の何れかに記載のナースコールシステム。
【請求項６】
前記ナースコール子機は、呼出操作するための握りボタンと、壁面に設置されて前記無線ＬＡＮ送受信手段及び呼出制御部を内蔵した子機プレートとから成ることを特徴とする請求項１乃至５の何れかに記載のナースコールシステム。
【発明の詳細な説明】
【技術分野】
【０００１】
本発明は病院内で入院患者が看護師を呼び出すためのナースコールシステムに関し、特に個々の看護師に呼び出しを通知することができるナースコールシステムに関する。
【背景技術】
【０００２】
従来のナースコールシステムは、患者からの呼び出しを個々の看護師にも通知する場合、ＰＢＸや無線基地局等を設置して、ＰＨＳからなる携帯端末を看護師に携行させることで実施していた（例えば、特許文献１参照）。
一方で、このようなナースコールシステムは、患者に関連する情報を入手するためにオーダリングシステムにＬＡＮ接続され、患者の看護履歴等の詳しい患者情報をオーダリングシステムから入手していた。
【特許文献１】特開２００２−２４７２１８号公報
【発明の開示】
【発明が解決しようとする課題】
【０００３】
このように従来のナースコールシステムは、オーダリングシステムとは比較的低コストで敷設できるＬＡＮ回線により接続されて情報を入手しているが、看護師が携行する携帯端末とは携帯電話の通信様式であるＰＨＳが使用されているため、システムの設置に大きなコストが掛かっていた。また、携帯電話では、呼び出しを通知した際に患者氏名が携帯電話に表示される程度で、呼出操作した患者の詳しい情報を表示させることはできなかった。
【０００４】
そこで、本発明はこのような問題点に鑑み、無線ＬＡＮ通信機能を備えた携帯型情報端末を看護師に携行させて、患者からの呼び出しを個々の看護師に対して通知可能とし、更に呼び出しの通知に合わせて携帯型情報端末に詳しい患者情報を表示できるナースコールシステムを提供することを目的とする。
【課題を解決するための手段】
【０００５】
上記課題を解決する為に、請求項１の発明は、患者が看護師を呼び出すための呼出ボタンを有し、ベッド毎に設置されたナースコール子機と、呼び出しを表示する廊下灯と、看護師がナースコール子機からの呼び出しに応答するためにナースステーションに設置されたナースコール親機と、患者情報が蓄積されたナースコールサーバとを有するナースコールシステムであって、無線ＬＡＮ送受信手段を備えると共に呼出報知部及び患者情報表示部を備えて看護師が携行できる複数の携帯情報端末と、当該携帯情報端末と通信するための複数のアクセスポイントとを備える一方、ナースコール子機及びナースコールサーバは、アクセスポイントを介して携帯情報端末と通信するための無線ＬＡＮ送受信手段を備え、更に、ナースコール子機は、呼出ボタンが操作されたら呼出信号を携帯情報端末に送信する呼出制御部を有すると共に、ナースコールサーバは、ナースコール子機からの呼出信号を入手して、当該ナースコール子機に関連付けられている患者情報を取り出して、携帯情報端末に送信する患者情報送信制御部を有し、呼出信号を受信した携帯情報端末は、呼出報知に合わせて受信した患者情報を表示することを特徴とする。
この構成によれば、看護師が携行する携帯情報端末に対してナースコール子機からの呼び出しを通知するので、直接看護師を呼び出しでき速やかな対応が可能となる。しかも無線ＬＡＮを使用して看護師を呼び出しするので、携帯電話を使用する構成に比べて安価に構成できる。そして、携帯情報端末には呼出動作に合わせて関連する患者情報が表示されるので、看護師は、適切にかつスムーズに対処することが可能となる。
【０００６】
尚、アクセスポイントとは、無線ＬＡＮアクセスポイントとも言い、ノートパソコン等の無線ＬＡＮクライアントを、ＬＡＮ回線に接続するための無線中継機器を言う。
【０００７】
請求項２の発明は、患者が看護師を呼び出すための呼出ボタンを有し、ベッド毎に設置されたナースコール子機と、呼び出しを表示する廊下灯と、看護師がナースコール子機からの呼び出しに応答するためにナースステーションに設置されたナースコール親機と、患者情報が蓄積されたナースコールサーバとを有するナースコールシステムであって、無線ＬＡＮ送受信手段を備えると共に呼出報知部及び患者情報表示部を備えて看護師が携行できる複数の携帯情報端末と、当該携帯情報端末と通信するための複数のアクセスポイントとを備える一方、ナースコール子機は、アクセスポイントに無線接続するための無線ＬＡＮ送受信手段と、呼出ボタンが操作されたら呼出信号をナースコールサーバ及び携帯情報端末に送信する呼出制御部を有すると共に、ナースコールサーバは、呼出信号を受けて当該ナースコール子機に関連付けられている患者情報を取り出して返送する患者情報送信制御部を有し、呼出制御部は、ナースコールサーバから入手した患者情報を呼出信号と共に携帯情報端末に送信し、呼出信号を受信した携帯情報端末は、呼出報知に合わせて受信した患者情報を表示することを特徴とする。
この構成によれば、看護師が携行する携帯情報端末に対してナースコール子機からの呼び出しを通知するので、直接看護師を呼び出しでき速やかな対応が可能となる。しかも無線ＬＡＮを使用して看護師を呼び出しするので、携帯電話を使用する構成に比べて安価に構成できる。そして、携帯情報端末には呼出動作に合わせて関連する患者情報が表示されるので、看護師は、適切にかつスムーズに対処することが可能となる。
【０００８】
請求項３の発明は、請求項１又は２に記載の発明において、アクセスポイントは全てのアクセスポイントの位置情報を記憶する位置情報記憶部を有し、ナースコール子機から呼出信号を受信したら、アクセスポイントの位置情報、及びアクセスポイントと通信する携帯情報端末情報から、自身に最も近い携帯情報端末を特定し、特定した携帯情報端末に対して呼出信号及び患者情報を送信する送信制御手段を有することを特徴とする。
この構成によれば、呼出操作されたナースコール子機に最も近い携帯情報端末が呼び出されるので、近くに看護師が居る場合には遠くに居る看護師が駆けつけるようなことをなくすことができる。よって、看護師の負担を軽減できるし、患者の待ち時間も削減できる。
【０００９】
請求項４の発明は、請求項１又は２記載の発明において、ナースコール子機は、特定の携帯情報端末を呼び出すための携帯情報端末ＩＤ記憶部を有し、呼出制御部は、呼出ボタンが操作されたら特定の携帯情報端末に呼出信号及び患者情報を送信することを特徴とする。
この構成によれば、担当看護師に直接呼び出しが掛かるので患者は安心できる。
【００１０】
請求項５の発明は、請求項１乃至４の何れかに記載の発明において、アクセスポイントは、ナースコール子機からの呼び出しを他の通信より優先させる優先制御手段を備え、アクセスポイントの通信チャンネルが他の通信により塞がっている場合にはその通信を切断し、ナースコール子機からの呼出信号の送信を優先させることを特徴とする。
この構成によれば、他の通信よりも患者からの呼び出しが優先されるので、呼出操作した患者が待たされたり放置されたりすることがない。
【００１１】
請求項６の発明は、請求項１乃至５の何れかに記載の発明において、ナースコール子機は、呼出操作するための握りボタンと、壁面に設置されて無線ＬＡＮ送受信手段及び呼出制御部を内蔵した子機プレートとから成ることを特徴とする。
この構成によれば、無線ＬＡＮ送受信手段、呼出制御部等は壁面に設置されるので、患者が操作する握りボタンが扱い難くなることがない。
【発明の効果】
【００１２】
本発明によれば、看護師が携行する携帯情報端末に対してナースコール子機からの呼び出しを通知するので、直接看護師を呼び出しでき速やかな対応が可能となる。しかも無線ＬＡＮを使用して看護師を呼び出しするので、携帯電話を使用する構成に比べて安価に構成できる。そして、携帯情報端末には呼出動作に合わせて関連する患者情報が表示されるので、看護師は、適切にかつスムーズに対処することができる。
【発明を実施するための最良の形態】
【００１３】
以下、本発明を具体化した実施の形態を、図面に基づいて詳細に説明する。図１は、本発明に係るナースコールシステムの一例を示す構成図であり、１は患者が看護師を呼び出すために個々のベッドに設置されたナースコール子機、２は病室毎に設置されてナースコール子機による呼び出しを表示する廊下灯、３は看護師がナースコール子機１からの呼び出しに応答するためにナースステーションに設置されたナースコール親機、４は患者情報が蓄積されたナースコールサーバ、５は無線ＬＡＮ回路が内蔵されて看護師に携行され、呼出操作した患者と通話する機能を備えた携帯情報端末、６は携帯情報端末５をＬＡＮ接続するためのアクセスポイントである。
【００１４】
ナースコール子機１は病室内のベッド毎に設置され、病室毎に病室前に設置された廊下灯２に伝送線Ｌ１により接続され、１台の廊下灯２には１〜６台のナースコール子機１が接続されている。また廊下灯２は、廊下灯幹線Ｌ２によりナースコール親機３に接続され、ナースコール親機３とナースコールサーバ４とは伝送線Ｌ３により接続されている。そして、アクセスポイント６は病院内の複数箇所に設置され、無線ＬＡＮ接続機能を備えたナースコール子機１、携帯情報端末５、更にはナースコールサーバ４をＬＡＮに接続可能としている。
【００１５】
尚、ナースコールサーバ４は図示しないオーダリングシステムとＬＡＮ接続され、ＬＡＮを介してナースコールサーバ４に記憶される看護履歴等の患者情報が逐次更新されるよう構成されている。また、矢印Ａ，Ｂは機器間の無線ＬＡＮ通信を示し、Ａはデータ信号、Ｂは通話信号を示している。
【００１６】
ナースコール子機１は、患者がベッドに横になった状態で呼出操作を可能とする握りボタン９と、ベッド近傍の壁面に設置されたプレート子機１０とで構成されている。握りボタン９は看護師を呼び出す際に押下する呼出ボタン９ａを有し、接続端子９ｂからプレート子機１０に接続される伝送線Ｌ４が延びている。
また、プレート子機１０は、マイク及びスピーカを備えた通話回路１１、握りボタン９から延びた伝送線Ｌ４を接続する握りボタン接続端子１２、ナースコール親機３及び廊下灯２と通信するための子機送受信回路１３、アクセスポイント６と通信するための無線ＬＡＮ送受信手段としてのＲＦ送受信回路１４、携帯情報端末のＩＤを記憶する端末ＩＤ記憶部１５、ナースコール子機１全体を制御する子機制御部１６を備えている。
【００１７】
廊下灯２は、ナースコール子機１とナースコール親機２との間の通信を管理する廊下灯送受信回路１８、ナースコール子機１からの呼び出しを報知する報知部１９、廊下灯２全体を制御する廊下灯制御部２０を備えている。
【００１８】
ナースコール親機３は、ナースコール子機１及び廊下灯２と通信するための呼出信号送受信回路２２、ナースコールサーバ４とデータ通信するためのデータ送受信回路２３、患者と通話するための通話回路２４、患者情報等を表示するためのモニタ２５、ナースコール親機３全体を制御する親機制御部２６を備えている。
また、ナースコールサーバ４は患者情報等を蓄積した記憶部２８、患者情報等を表示するためのモニタ２９、ナースコール親機３と通信するためのデータ送受信回路３０、アクセスポイント６と無線通信するための無線ＬＡＮ送受信手段としてのＲＦ送受信回路３１、ナースコールサーバ４全体を制御するサーバ制御部３２等を備えている。
【００１９】
携帯情報端末５は、患者と通話するためのマイク及びスピーカを備えた通話回路３５、患者情報等を表示するためのモニタ３６、アクセスポイント６と通信するための無線ＬＡＮを構成するＲＦ送受信回路３７、携帯情報端末５全体を制御する携帯情報端末制御部３８を備えている。
【００２０】
そして、アクセスポイント６は、ナースコールサーバ４及びナースコール子機１と通信するための無線ＬＡＮ回路を構成する第１ＲＦ送受信回路４０、携帯情報端末５と通信するための無線ＬＡＮ回路を構成する第２ＲＦ送受信回路４１、全てのアクセスポイント６の位置情報を記憶する位置情報記憶部４２、アクセスポイント６全体を制御するアクセスポイント制御部４３を備えている。
【００２１】
以下、ナースコール子機１が呼出操作された場合の携帯情報端末５の動作を説明する。
最初に、ナースコール子機１の呼出ボタン９ａが押下されると、子機プレート１０の子機制御部１６はそれを検出して廊下灯２にナースコール子機１のＩＤ情報を含む呼出信号を送信する。廊下灯２の廊下灯制御部２０は、この呼出信号を受けて自身の報知部１９を報知動作させると共に、ナースコール親機３に対して呼出信号を送信する。
この呼出信号を受信したナースコール親機３は、親機制御部２６により呼び出しが成されたことを図示しない報音部が報音し、モニタ２５に呼出元の患者に関連する患者名やベッド番号が表示される。
【００２２】
一方、子機制御部１６はＲＦ送受信回路１４から呼出信号を携帯情報端末５に対して送信する。この呼出信号はナースコール子機１毎に予め特定されたアクセスポイント６の第１ＲＦ送受信回路４０で受信され、第２ＲＦ送受信回路４１から携帯情報端末５に対して発信される。こうして、ＲＦ送受信回路３７により呼出信号を受信した携帯情報端末５は、携帯情報端末制御部３８の制御により呼び出しが成されたことを図示しない報知部やモニタ３６の表示動作により携行している看護師に通知する。尚、呼出報音されたナースコール親機３において、応答操作が成されたら、この携帯情報端末５の呼出表示は終了する。
【００２３】
ここで、携帯情報端末５への通知形態は２通りあり、最初に、患者に最寄りの看護師に対して呼び出しが通知される第１の通知形態を説明する。子機プレート１０からの呼出信号を受信したアクセスポイント６は、最も近い携帯情報端末５を探し、該当する携帯情報端末５へ呼出信号を送信する。
看護師に携行されて移動する携帯情報端末５は、常に最寄りのアクセスポイント６と通信を実施し、アクセスポイント６は携帯情報端末５との通信情報から個々の携帯情報端末５の位置を把握することができる。そこで、呼出信号を受信したアクセスポイント６のアクセスポイント制御部４３は、位置情報記憶部４２が記憶している全てのアクセスポイント６の位置情報と、個々の携帯情報端末５がその時点で通信しているアクセスポイント６の通信状態から、自身に最も近い（即ち、呼出操作した患者に最も近い）携帯情報端末５を選択し、その携帯情報端末５に呼出信号を送信する。
【００２４】
さらに、呼出信号を受信したナースコール親機３は、ナースコールサーバ４へ呼出信号を送信する。ナースコールサーバ４は、呼出信号に含まれる呼出元子機情報から呼出元の患者に関連する看護履歴等の患者情報を記憶部２８から読み取り、ＲＦ送受信回路３１から携帯情報端末５へ患者情報を送信する。この情報は呼出元子機情報を含み、この情報を基にアクセスポイント６は、呼出信号を送信した携帯情報端末５に受信した患者情報を送信する。
こうして呼出信号及び患者情報を受信した携帯情報端末５は、携帯情報端末制御部３８により、呼び出しの表示に続き患者情報をモニタ６に表示し、携帯情報端末５を携行している看護師は、患者からの呼び出しを認識でき、モニタ３６に表示された患者情報を見ながら所定の操作で患者と通話することができる。
【００２５】
このように、看護師が携行する携帯情報端末に対してナースコール子機からの呼び出しを通知するので、直接看護師を呼び出しでき速やかな対応が可能となる。しかも無線ＬＡＮを使用して看護師を呼び出しするので、携帯電話を使用する構成に比べて安価に構成できる。そして、携帯情報端末には呼出動作に合わせて関連する患者情報が表示されるので、看護師は、適切にかつスムーズに対処することができる。
また、呼出操作されたナースコール子機に最も近い携帯情報端末が呼び出されるので、近くに看護師が居る場合には遠くに居る看護師が駆けつけるようなことをなくすことができ、看護師の負担を軽減できるし、患者の待ち時間も削減できる。
更に、ナースコール子機の無線ＬＡＮ送回路、その制御部等は壁面に設置されるので、患者が操作する握りボタンが扱い難くなることがない。
【００２６】
次に第２の通知形態を説明する。この通知形態では、ナースコール子機１毎に呼出信号を通知する携帯情報端末５が指定されている。プレート子機１０に設けられた端末ＩＤ記憶部１５には、呼出先の１台或いは複数台の携帯情報端末５のＩＤが記憶され、呼出ボタン９ａが操作されたらその携帯情報端末５に呼出信号が送信される。この場合、呼出信号の送信経路、そしてナースコールサーバ４からの患者情報の伝送及びその経路は、上記通知形態と同様であるため説明を省略する。
この通知形態の場合、常に担当看護師だけに直接呼び出しが掛かるので患者は安心できる。
【００２７】
尚。この２つの通知形態の選択は、ナースコール親機３の所定の設定操作により実施される。また、アクセスポイント制御部４３は、携帯情報端末５同士の通信や、無線ＬＡＮ回路を備えた他の機器による通信に対して、ナースコール子機１からの呼出信号の通信を優先する機能を備えている。そのため、他の通信で無線ＬＡＮ回線が塞がっている場合は、その通信（のうちの１ライン）が自動的に切断されて、呼出信号の送信を実施する。こうして、他の通信よりも患者からの呼び出しが優先されることで、呼出操作した患者が待たされたり放置されたりすることがない。
【００２８】
次に、本発明の他の実施形態を説明する。上記実施形態は、ナースコールサーバ４がＲＦ送受信回路（無線ＬＡＮ送受信手段）３１を備えている場合を説明したが、ナースコールサーバ４にＲＦ送受信回路が無い場合は、以下のように動作させることで、携帯情報端末５に同様に患者情報を送信することができる。
ナースコール親機３から呼出信号を受信したナースコールサーバ４は、ナースコール親機３に対して呼出操作した患者の看護履歴等の患者情報を返信する。ナースコール親機３は入手した患者情報を廊下灯２を介して子機プレート１０に伝送する。こうして患者情報の伝送を受けた子機プレート１０が、ＲＦ送受信回路１４からアクセスポイント６を介して携帯情報端末５へ患者情報を送信する。
このように動作させても良く、呼び出しを報知している携帯情報端末５で、患者情報を表示できる。
【００２９】
尚、廊下灯２とナースコール親機３とを直接廊下灯幹線Ｌ２で接続しているが、機器間の通信を制御するための制御機を独立させて廊下灯２とナースコール親機３との間に設置させても良く、廊下灯２の設置数が多いシステムであっても良好な通信を実施できる。
【図面の簡単な説明】
【００３０】
【図１】本発明に係るナースコールシステムの一例を示す構成図である。
【符号の説明】
【００３１】
１・・ナースコール子機、２・・廊下灯、３・・ナースコール親機、４・・ナースコールサーバ、５・・携帯情報端末、６・・アクセスポイント、９・・握りボタン、１０・・プレート子機、１１・・通話回路、１４・・ＲＦ送受信回路（無線ＬＡＮ送受信手段）、１５・端末ＩＤ記憶部（携帯情報端末ＩＤ記憶部）、１６・・子機制御部（呼出制御部）、２８・・記憶部、３１・・ＲＦ送受信回路（無線ＬＡＮ送受信手段）、３２・・サーバ制御部（患者情報送信制御部）、３５・・通話回路、３６・・モニタ（表示部）、３７・・ＲＦ送受信回路、３８・・携帯情報端末制御部、４０・・第１ＲＦ送受信回路、４１・・第２ＲＦ送受信回路、４２・・位置情報記憶部、４３・・アクセスポイント制御部（優先制御手段）。
【図１】
2009212813.tif 000003